(57)【要約】【課題】  ディレクトリエントリ等の記録媒体のファイル及び又はディレクトリ情報管理領域から、ファイルの識別情報を迅速に取得する。【解決手段】  ファイルの識別情報を記憶する記憶部を第一の記憶部と第二の記憶部にわけ，第一の記憶部には通常のユーザー操作においてアクセスされる優先度の高いファイルに関するファイル識別情報を記憶する。第二の記憶部は第一の記憶部に該当するファイル識別情報がないと判断されたときに参照し、このとき第二の記憶部に該当するファイル識別情報がない場合は記録媒体を参照し、該当するファイル及び該当ファイルの前後のファイルの識別情報を第二の記憶部に記憶すると共に参照する。【選択図】  図３
2006107672.tif 000002
【特許請求の範囲】
【請求項１】
記録媒体に対してデータの記録及び又は再生を行う画像処理装置であって、
データが格納されたファイルを識別するための情報を一時的に記憶する情報テーブル記憶手段と、
記録媒体のファイル及び又はディレクトリ情報管理領域を参照し上記記憶手段に格納するファイルを識別するための情報を作成する情報テーブル作成手段と、
上記記憶手段に記憶された上記ファイルを識別するための情報に基づいて上記記録媒体へのデータの記録及び又は再生を制御する制御手段と、
上記情報テーブル記憶手段は上記制御手段の指示する特定のファイルにかかわらず所定のファイルを識別するための情報を保持する第一の記憶部と、
上記制御手段の指示する特定のファイルに関連する所定のファイルを識別するための情報を保持する第二の記憶部と、
を備える画像処理装置。
【請求項２】
前記第一の記憶部は記録媒体のファイル及び又はディレクトリ情報管理領域の記載順に基づく特定数のファイルに対する識別情報が記憶されることを特徴とする請求項１に記載の画像処理装置。
【請求項３】
前記情報テーブル作成手段は前記制御手段によりファイル識別情報取得の指示があり、該当するファイルに関する識別情報が前記第一の記憶部に無かった場合に前記第二の記憶部の情報を作成することを特徴とする請求項１に記載の画像処理装置。
【請求項４】
前記情報テーブル作成手段は前記制御手段によりファイル識別情報取得の指示があり、該当するファイルに関する識別情報が前記第一の記憶部に無かった場合に前記第二の記憶部の情報を参照することを特徴とする請求項１に記載の画像処理装置。
【請求項５】
前記情報テーブル作成手段は前記制御手段によりファイル識別情報取得の指示があり、該当するファイルに関する識別情報が前記第一の記憶部に無く前記第二の記憶部の情報を作成する際には、同時に得られる該当ファイル以外のファイル識別情報を同時に前記第二の記憶部に作成することを特徴とする請求項１に記載の画像処理装置。
【請求項６】
前記情報テーブル作成手段は前記制御手段によりファイル識別情報取得の指示があり、該当するファイルに関する識別情報が前記第一の記憶部及び前記第二の記憶部に無かった場合にのみ前記第二の記憶部の情報を作成することを特徴とする請求項１に記載の画像処理装置。
【請求項７】
記録媒体に対するデータの記録及び又は再生は、ＤＣＦ（Ｄｅｓｉｇｎ  ｒｕｌｅ  ｆｏｒ  Ｃａｍｅｒａ  Ｆｉｌｅ  ｓｙｓｔｅｍ  ）に準拠することを特徴とする請求項１から６のいずれかに記載の画像処理装置。
【請求項８】
前記第一の記憶部はＤＣＦのオブジェクト番号順基づく特定数のファイルに対する識別情報が記憶されることを特徴とする請求項７に記載の画像処理装置。
【請求項９】
前記情報テーブル作成手段は前記制御手段によりファイル識別情報取得の指示があり、該当するファイルに関する識別情報が前記第一の記憶部に無く前記第二の記憶部の情報を作成する際には、同時に得られる該当ファイル以外のファイル識別情報をＤＣＦのオブジェクト番号に基づいて選択し、同時に前記第二の記憶部に作成することを特徴とする請求項７に記載の画像処理装置。
【請求項１０】
前記情報テーブル記憶手段に記憶されたファイルを識別するための情報をファイルとして記録媒体に対して記録及び又は再生を行うことを特徴とする請求項１から９のいずれかに記載の画像処理装置。
【請求項１１】
前記情報テーブル記憶手段に記憶されたファイルを識別するための情報をファイルとして記録媒体に対して記録を行う際は、第二の記憶部の情報は記録しないことを特徴とする請求項１０に記載の画像処理装置。
【発明の詳細な説明】
【技術分野】
【０００１】
本発明は、画像データを再生する画像処理装置に関する。
【背景技術】
【０００２】
従来、固体メモリ素子を有するメモリカードを記録媒体として、静止画像や動画像を記録再生する電子カメラ等の画像処理装置は既に市販されており、カラー液晶パネル等の電子ファインダーを備える電子カメラも販売されている。また、近年では、記録媒体の記録容量も増大し、多数の画像が記録再生可能となっている。また、記憶媒体へのアクセス速度の向上を図ったデジタルカメラも開示されている（例えば、特許文献１）。
【特許文献１】特開２００１−３５９０３６号公報
【発明の開示】
【発明が解決しようとする課題】
【０００３】
しかしながら、このような従来の電子カメラ等の画像処理装置においては、記録媒体の記録容量も増大し、記録される画像が多くなるにつれて、ディレクトリエントリ等の記録媒体のファイル及び又はディレクトリ情報管理領域から、ファイルの識別情報を取得する時間がよりかかるという問題があった。
【０００４】
また、ディレクトリエントリの情報から得られるファイルを識別する情報をすべて記憶部に格納するには膨大な記憶領域を必要とする可能性がある。
【０００５】
本発明は上述した問題点を解決するためのものであり、ファイルを識別する情報を迅速に提供することができ、また、ファイルを識別する情報を記憶するための記憶領域を削減できる画像処理装置を提供することを目的とする。
【課題を解決するための手段】
【０００６】
上記目的を達成するために、本発明の画像処理装置は、記録媒体に対してデータの記録及び又は再生を行う画像処理装置であって、データが格納されたファイルを識別するための情報を一時的に記憶する情報テーブル記憶手段と、記録媒体のファイル及び又はディレクトリ情報管理領域を参照し上記記憶手段に格納するファイルを識別するための情報を作成する情報テーブル作成手段と、上記記憶手段に記憶された上記ファイルを識別するための情報に基づいて上記記録媒体へのデータの記録及び又は再生を制御する制御手段と、上記情報テーブル記憶手段は上記制御手段の指示する特定のファイルにかかわらず所定のファイルを識別するための情報を保持する第一の記憶部と、上記制御手段の指示する特定のファイルに関連する所定のファイルを識別するための情報を保持する第二の記憶部と、を備える。
【発明の効果】
【０００７】
本発明によれば、第一の記憶部と第二の記憶部への記憶は異なる基準で行うため、ファイルを識別するための情報の参照が発生した場合、第一及び又は第二の記憶部から、迅速に情報を提供することが可能となる。また、ファイルを識別する情報を記憶するための記憶領域を削減できる。
【発明を実施するための最良の形態】
【０００８】
以下、図面を参照して本発明の実施の形態を説明する。
【０００９】
図１は、本発明の実施形態の構成を示す図である。図１において、１００は画像撮影及び再生装置である。１０は撮影レンズ、１２は絞り機能を備えるシャッター、１４は光学像を電気信号に変換する撮像素子、１６は撮像素子１４のアナログ信号出力をディジタル信号に変換するＡ／Ｄ変換器である。１８は撮像素子１４、Ａ／Ｄ変換器１６、Ｄ／Ａ変換器２６にクロック信号や制御信号を供給するタイミング発生回路であり、メモリ制御回路２２及びシステム制御回路５０により制御される。
【００１０】
２０は画像処理回路であり、Ａ／Ｄ変換器１６からのデータ或いはメモリ制御回路２２からのデータに対して所定の画素補間処理や色変換処理を行う。
【００１１】
また、画像処理回路２０においては、撮像した画像データを用いて所定の演算処理を行い、得られた演算結果に基づいてシステム制御回路５０が露光制御手段４０、測距制御手段４２に対して制御を行う、ＴＴＬ（スルー・ザ・レンズ）方式のＡＦ（オートフォーカス）処理、ＡＥ（自動露出）処理、ＥＦ（フラッシュプリ発光）処理を行っている。さらに、画像処理回路２０においては、撮像した画像データを用いて所定の演算処理を行い、得られた演算結果に基づいてＴＴＬ方式のＡＷＢ（オートホワイトバランス）処理も行っている。
【００１２】
２２はメモリ制御回路であり、Ａ／Ｄ変換器１６、タイミング発生回路１８、画像処理回路２０、画像表示メモリ２４、Ｄ／Ａ変換器２６、メモリ３０、圧縮・伸長回路３２を制御する。Ａ／Ｄ変換器１６のデータが画像処理回路２０、メモリ制御回路２２を介して、或いはＡ／Ｄ変換器１６のデータが直接メモリ制御回路２２を介して、画像表示メモリ２４或いはメモリ３０に書き込まれる。
また、再生においては、記録媒体２００或いは２１０からメモリ３０に読み出された圧縮画像データは、画像処理２０によって伸張され、画像表示メモリ２４に展開される。
【００１３】
２４は画像表示メモリ、２６はＤ／Ａ変換器、２８はＴＦＴ  ＬＣＤ等から成る画像表示部であり、画像表示メモリ２４に書き込まれた表示用の画像データはＤ／Ａ変換器２６を介して画像表示部２８により表示される。画像表示部２８を用いて撮像した画像データを逐次表示すれば、電子ファインダー機能を実現することが可能である。また、画像表示部２８はＯＳＤによる各種情報表示の重畳が可能であり、表示内容としては、シングルショット／連写撮影表示、セルフタイマー表示、圧縮率表示、記録画素数表示、記録枚数表示、表示画像通し番号表示、残撮影可能枚数表示、検索キーアイコン表示、シャッタースピード表示、絞り値表示、露出補正表示、フラッシュ表示、赤目緩和表示、マクロ撮影表示、ブザー設定表示、時計用電池残量表示、電池残量表示、エラー表示、複数桁の数字による情報表示、記録媒体２００及び２１０の着脱状態表示、通信Ｉ／Ｆ動作表示、日付け・時刻表示、等がある。これら各種情報表示のうち、撮影時条件及び設定は、撮影時に各情報を画像ヘッダに格納し、再生時に動画像ヘッダを解析抽出することにより取得ができ、再生時においても画像の撮影時の条件を参照することが可能となる。
【００１４】
３０は撮影した静止画像や動画像を格納するためのメモリであり、所定枚数の静止画像や所定時間の動画像を格納するのに十分な記憶量を備えている。これにより、複数枚の静止画像を連続して撮影する連射撮影やパノラマ撮影の場合にも、高速かつ大量の画像書き込みをメモリ３０に対して行うことが可能となる。また、メモリ３０はシステム制御回路５０の作業領域としても使用することが可能である。３２は適応離散コサイン変換（ＡＤＣＴ）等により画像データを圧縮伸長する圧縮・伸長回路であり、メモリ３０に格納された画像を読み込んで圧縮処理或いは伸長処理を行い、処理を終えたデータをメモリ３０に書き込む。
【００１５】
４０は絞り機能を備えるシャッター１２を制御する露光制御手段であり、フラッシュ４８と連携することによりフラッシュ調光機能も有するものである。４２は撮影レンズ１０のフォーカシングを制御する測距制御手段、４４は撮影レンズ１０のズーミングを制御するズーム制御手段、４６はバリアである保護手段１０２の動作を制御するバリア制御手段である。４８はフラッシュであり、ＡＦ補助光の投光機能、フラッシュ調光機能も有する。露光制御手段４０、測距制御手段４２はＴＴＬ方式を用いて制御されており、撮像した画像データを画像処理回路２０によって演算した演算結果に基づき、システム制御回路５０が露光制御手段４０、測距制御手段４２に対して制御を行う。
【００１６】
５０は画像処理装置１００全体を制御するシステム制御回路、５２はシステム制御回路５０の動作用の定数、変数、プログラム等を記憶するメモリである。
【００１７】
５４はシステム制御回路５０でのプログラムの実行に応じて音声等を用いて動作状態やメッセージ等を表示するスピーカー等の表示部であり例えばＬＥＤ、発音素子等の組み合わせにより構成されている。
【００１８】
また、表示部５４は、その一部の機能が光学ファインダー１０４内に設置されている。また、表示部５４の表示内容のうち、光学ファインダー１０４内に表示するものとしては、合焦表示、手振れ警告表示、フラッシュ充電表示、シャッタースピード表示、絞り値表示、露出補正表示、等がある。５６は電気的に消去・記録可能な不揮発性メモリであり、例えばＥＥＰＲＯＭ等が用いられる。６０、６２、６４及び７０は、システム制御回路５０の各種の動作指示を入力するための操作手段であり、スイッチやダイアル、タッチパネル、視線検知によるポインティング、音声認識装置等の単数或いは複数の組み合わせで構成される。
【００１９】
ここで、これらの操作手段の具体的な説明を行う。６０はモードダイアルスイッチで、電源オフ、自動撮影モード、撮影モード、パノラマ撮影モード、再生モード、マルチ画面再生・消去モード、ＰＣ接続モード等の各機能モードを切り替え設定することが出来る。６２はシャッタースイッチＳＷ１で、不図示のシャッターボタンの操作途中でＯＮとなり、ＡＦ（オートフォーカス）処理、ＡＥ（自動露出）処理、ＡＷＢ（オートホワイトバランス）処理、ＥＦ（フラッシュプリ発光）処理等の動作開始を指示する。６４はシャッタースイッチＳＷ２で、不図示のシャッターボタンの操作完了でＯＮとなり、撮像素子１２から読み出した信号をＡ／Ｄ変換器１６、メモリ制御回路２２を介してメモリ３０に画像データを書き込む露光処理、画像処理回路２０やメモリ制御回路２２での演算を用いた現像処理、メモリ３０から画像データを読み出し、圧縮・伸長回路３２で圧縮を行い、記録媒体２００或いは２１０に画像データを書き込む記録処理という一連の処理の動作開始を指示する。７０は各種ボタンやタッチパネル等からなる操作部で、メニューボタン、セットボタン、マクロボタン、フラッシュ設定ボタン、単写／連写／セルフタイマー切り替えボタン、メニュー移動＋（プラス）ボタン、メニュー移動−（マイナス）ボタン、再生画像送り＋（プラス）ボタン、再生画像送り−（マイナス）ボタン等がある。
【００２０】
８０は電源制御手段で、電池検出回路、ＤＣ−ＤＣコンバータ、通電するブロックを切り替えるスイッチ回路等により構成されており、電池の装着の有無、電池の種類、電池残量の検出を行い、検出結果及びシステム制御回路５０の指示に基づいてＤＣ−ＤＣコンバータを制御し、必要な電圧を必要な期間、記録媒体を含む各部へ供給する。８２はコネクタ、８４はコネクタ、８６はアルカリ電池やリチウム電池等の一次電池やＮｉＣｄ電池やＮｉＭＨ電池、Ｌｉ電池等の二次電池、ＡＣアダプター等からなる電源手段である。
【００２１】
９０及び９４はメモリカードやハードディスク等の記録媒体とのインターフェース、９２及び９６はメモリカードやハードディスク等の記録媒体と接続を行うコネクタ、９８はコネクタ９２及び或いは９６に記録媒体２００或いは２１０が装着されているか否かを検知する記録媒体着脱検知手段である。なお、本実施形態では記録媒体を取り付けるインターフェース及びコネクタを２系統持つものとして説明している。もちろん、記録媒体を取り付けるインターフェース及びコネクタは、単数或いは複数、いずれの系統数を備える構成としても構わない。また、異なる規格のインターフェース及びコネクタを組み合わせて備える構成としても構わない。
【００２２】
インターフェース及びコネクタとしては、ＰＣＭＣＩＡカードやＣＦ（コンパクトフラッシュ（登録商標））カード等の規格に準拠したものを用いて構成して構わない。さらに、インタフェース９０及び９４、そしてコネクタ９２及び９６をＰＣＭＣＩＡカードやＣＦ（コンパクトフラッシュ（登録商標））カード等の規格に準拠したものを用いて構成した場合、ＬＡＮカードやモデムカード、ＵＳＢカード、ＩＥＥＥ１３９４カード、Ｐ１２８４カード、ＳＣＳＩカード、ＰＨＳ等の通信カード、等の各種通信カードを接続することにより、他のコンピュータやプリンタ等の周辺機器との間で画像データや画像データに付属した管理情報を転送し合うことが出来る。１０２は、画像処理装置１００のレンズ１０を含む撮像部を覆う事により、撮像部の汚れや破損を防止するバリアである保護手段である。１０４は光学ファインダであり、画像表示部２８による電子ファインダー機能を使用すること無しに、光学ファインダのみを用いて撮影を行うことが可能である。
【００２３】
１１０は通信手段で、ＲＳ２３２ＣやＵＳＢ、ＩＥＥＥ１３９４、Ｐ１２８４、ＳＣＳＩ、モデム、ＬＡＮ、無線通信、等の各種通信機能を有する。１１２は通信手段１１０により画像処理装置１００を他の機器と接続するコネクタ或いは無線通信の場合はアンテナである。２００はメモリカードやハードディスク等の記録媒体である。記録媒体２００は、半導体メモリや磁気ディスク等から構成される記録部２０２、画像処理装置１００とのインタフェース２０４、画像処理装置１００と接続を行うコネクタ２０６を備えている。２１０はメモリカードやハードディスク等の記録媒体である。記録媒体２１０は、半導体メモリや磁気ディスク等から構成される記録部２１２、画像処理装置１００とのインタフェース２１４、画像処理装置１００と接続を行うコネクタ２１６を備えている。
【００２４】
図２は、本発明の実施形態の操作部および表示部の模式図である。３０１は再生画像送り＋（プラス）ボタン、３０２は再生画像送り−（マイナス）ボタン、３０３は画像及び各種情報表示が可能な表示部である。表示部３０３の詳細について説明する。３０７は画像通し番号である。３０８は再生画像の撮影日付である。３０６は撮影時の撮影モードを示している。３０５は画像の圧縮率および画素数を示している。３０４は画像処理装置内の記録枚数と現在の再生画像の順番を表示している。この例では画像処理装置内に２８０個の画像が存在し、現在の画像位置は５４番目ということである。
【００２５】
図２乃至図６を参照して、実施形態の動作を説明する。図３はファイル識別情報構築処理のフローチャートである。
【００２６】
記録媒体装填、電源投入後等にファイル識別情報構築の指示があったならば、記録媒体の情報をディレクトリエントリ等のファイル及び又はディレクトリ情報管理領域を参照し、ファイル及び又はディレクトリの情報を順に取得する（Ｓ３０１）。
【００２７】
新たなファイル及び又はディレクトリの情報が取得されたならば（Ｓ３０２）、第一の記憶部にファイル識別情報を記憶する空き領域があるか確認し（Ｓ３０３）、第一の記憶部に空き領域が存在したならば新たに取得されたファイル及び又はディレクトリの識別情報を第一の記憶部に記憶し（Ｓ３０５）、次のファイル及び又はディレクトリの情報取得を行う（Ｓ３０１）。
【００２８】
第一の記憶部にファイル識別情報を記憶する空き領域があるか確認し（Ｓ３０３）、第一の記憶部に空き領域が存在しないならば（Ｓ３０３）、以下第二の記憶部への記憶処理を行ってもよい。
【００２９】
第二の記憶部にファイル識別情報を記憶する空き領域があるか確認し（Ｓ３０４）、第二の記憶部に空き領域が存在したならば新たに取得されたファイル及び又はディレクトリの識別情報を第二の記憶部に記憶し（Ｓ３０６）、次のファイル及び又はディレクトリの情報取得を行う（Ｓ３０１）。
【００３０】
第二の記憶部に空き領域が存在しないならば（Ｓ３０４）、以下第二の記憶部領域への上書き記憶処理（Ｓ３０７）を行ってもよい。この上書き処理は例えば最後に取得されたファイル及び又はディレクトリ情報をより古いものへ上書きするように処理することにより、例えば１００−０００１から１００−９９９９をファイル識別情報にもつ９９９９個のファイルが存在し、第一及び第二の記憶部の記憶領域がそれぞれ例えば２００ファイル分であった場合、例えば図６（ａ）、（ｂ）のような情報が構築される。
【００３１】
上書き処理が終了したならば次のファイル及び又はディレクトリの情報取得を行う（Ｓ３０１）。新たなファイル及び又はディレクトリの情報が無かったならば（Ｓ３０２）処理を抜ける。
【００３２】
図４はファイル識別情報取得処理のフローチャートである。
【００３３】
図２の３０１は再生画像送り＋（プラス）ボタン、３０２は再生画像送り−（マイナス）ボタン等により画像表示の指示があり、該当する画像に対するファイル情報取得の指示があったなならば、第一の記憶部を参照し（Ｓ４０１）、第一の記憶部に該当するファイルの識別情報があったならば（Ｓ４０２）、該当ファイルの識別情報からファイル情報を構築し応答し（Ｓ４０３）処理を終了する。
【００３４】
第一の記憶部に該当するファイルの識別情報が無かったならば（Ｓ４０２）、第二の記憶部を参照し（Ｓ４０４）、第二の記憶部に該当するファイルの識別情報があったならば（Ｓ４０５）、該当ファイルの識別情報からファイル情報を構築し応答し（Ｓ４０３）処理を終了する。
【００３５】
第二の記憶部に該当するファイルの識別情報が無かったならば（Ｓ４０５）、第二の記憶部記憶処理を行い（Ｓ４０６）、該当ファイルの識別情報からファイル情報を構築し応答し（Ｓ４０３）処理を終了する。
【００３６】
図５は第二の記憶部記憶処理である。第二の記憶部記憶処理の指示があったならば、第二の記憶部へ記憶するファイルのリストを作成する（Ｓ５０２）。これは要求されたファイルのみでもよく、また、要求されたファイルの前後特定数のファイルを含んでいても良い。
【００３７】
次に記録媒体のファイル及び又はディレクトリの情報管理領域を参照し、ファイル及び又はディレクトリの情報取得を行う（Ｓ５０２）。
【００３８】
ファイル情報が取得されたならば（Ｓ５０３）、記憶予定ファイルに該当するか比較し（Ｓ５０４）、記憶予定ファイルであるならば第二の記憶部に記憶する（Ｓ５０５）。これをファイル情報が取得できなくなるまで繰り返し、処理を終了する。
【００３９】
例えば、第一及び第二の記憶部の記憶内容が図６（ａ）または図６（ｂ）の状態のときにファイル識別情報１００−０３０１の情報取得の指示があったとする。ここで記録媒体のファイル及び又はディレクトリ情報の管理領域を参照した結果、所望の１００−０３０１の情報と共に以降記憶できる分のファイル識別情報を記憶しても良い（図６（ｃ）、図６（ｄ））。
【００４０】
以上説明したように、本実施形態においては、指示する特定のファイルにかかわらず所定のファイルを識別するための情報を保持する第一の記憶部と、指示する特定のファイルに関連する所定のファイルを識別するための情報を保持する第二の記憶部と、を備えることにより、第一の記憶部と第二の記憶部への記憶は異なる基準で行うため、ファイルを識別するための情報の参照が発生した場合、第一及び又は第二の記憶部から、迅速に情報を提供することが可能となる。
【００４１】
また、第一の記憶部はファイル及び又はディレクトリ情報管理領域の記載順に基づく特定数のファイルに対する識別情報が記憶されており、第一の記憶部には記録媒体の記録順等に従ったファイルに関するファイルを識別するための情報を記憶し、即座に応答することができる。
【００４２】
また、ファイル識別情報取得の指示があり、該当するファイルに関する識別情報が第一の記憶部に無かった場合に第二の記憶部の情報を作成することにより、第一の記憶部に所定のファイルを識別するための情報が存在しなかった場合のみ第二の記憶領域を構築するため、第一の記憶部の情報のみで十分な場合は第二の記憶部の情報を作成する時間が不要となり又、第一の記憶部の情報では不十分の場合のみ第二の記憶部の情報を構築すればよい。
【００４３】
また、ファイル識別情報取得の指示があり、該当するファイルに関する識別情報が第一の記憶部に無かった場合に第二の記憶部の情報を参照することにより、第一の記憶部に所定のファイルを識別するための情報が存在しなかった場合は第二の記憶領域を参照するため、すでに第二の記憶部の情報が構築されている場合には即座にファイルを識別するための情報を取得することが可能となる。
【００４４】
また、ファイル識別情報取得の指示があり、該当するファイルに関する識別情報が第一の記憶部に無く第二の記憶部の情報を作成する際には、同時に得られる該当ファイル以外のファイル識別情報を同時に第二の記憶部に作成することにより、記録媒体のファイル及び又はディレクトリ情報管理領域を参照し所定のファイルのために第二の記憶部を構築する際に、参照時に同時に得られる他のファイルの情報を記憶しておくことで、この後記憶した他のファイルに関する識別情報を即座に応答することが可能となる。
【００４５】
また、ファイル識別情報取得の指示があり、該当するファイルに関する識別情報が第一の記憶部及び第二の記憶部に無かった場合にのみ第二の記憶部の情報を作成することにより、第二の記憶を構築するための記録媒体のファイル及び又はディレクトリ情報管理領域を参照を最小限に抑えることが可能となる。
【００４６】
また、記録媒体に対するデータの記録及び又は再生は、ＤＣＦ（Ｄｅｓｉｇｎ  ｒｕｌｅ  ｆｏｒ  Ｃａｍｅｒａ  Ｆｉｌｅ  ｓｙｓｔｅｍ  ）に準拠させることにより、ＤＣＦに準拠した電子カメラ等の画像処理装置において実施形態の効果を期待することができる。
【００４７】
また、第一の記憶部はＤＣＦのオブジェクト番号順基づく特定数のファイルに対する識別情報が記憶されることにより、通常、電子カメラ等の画像処理装置において実現されているＤＣＦオブジェクト番号順での画像再生において必要とされる識別情報を効率よく記憶することが可能となる。
【００４８】
また、ファイル識別情報取得の指示があり、該当するファイルに関する識別情報が第一の記憶部に無く第二の記憶部の情報を作成する際には、同時に得られる該当ファイル以外のファイル識別情報をＤＣＦのオブジェクト番号に基づいて選択し、同時に第二の記憶部に作成することにより、通常、電子カメラ等の画像処理装置において実現されているＤＣＦオブジェクト番号順での画像再生において必要とされる識別情報を効率よく記憶することが可能となる。
【００４９】
また、情報テーブルに記憶されたファイルを識別するための情報をファイルとして記録媒体に対して記録及び又は再生を行うことにより、記録媒体のファイル及び又はディレクトリ情報管理領域を参照することなくファイル識別情報を利用した記録及び又は再生制御を行うことが可能となる。
【００５０】
また、情報テーブルに記憶されたファイルを識別するための情報をファイルとして記録媒体に対して記録を行う際は、第二の記憶部の情報は記録しないことにより、第二の記憶領域分ファイルサイズを削減することが可能となる。
【図面の簡単な説明】
【００５１】
【図１】本発明の実施形態の構成ブロック図である。
【図２】本実施形態の表示操作部の模式図である。
【図３】本実施形態のファイル識別情報構築処理のフローチャートである。
【図４】本実施形態のファイル識別情報取得処理のフローチャートである。
【図５】本実施形態の第二の記憶部記憶処理のフローチャートである。
【図６】本実施形態の第一及び第二の記憶部の記憶内容例である。
【符号の説明】
【００５２】
１０  撮影レンズ
１２  シャッター
１４  撮像素子
１６  Ａ／Ｄ変換器
１８  タイミング発生回路
２０  画像処理回路
２２  メモリ制御回路
２４  画像表示メモリ
２６  Ｄ／Ａ変換器
２８  画像表示部
３０  メモリ
３２  画像圧縮・伸長回路
４０  露光制御手段
４２  測距制御手段
４４  ズーム制御手段
４６  バリア制御手段
４８  フラッシュ
５０  システム制御回路
５２  メモリ
５４  表示部
５６  不揮発性メモリ
６０  モードダイアルスイッチ
６２  シャッタースイッチＳＷ１
６４  シャッタースイッチＳＷ２
７０  操作部
８０  電源制御手段
８２  コネクタ
８４  コネクタ
８６  電源手段
９０  インタフェース
９２  コネクタ
９４  インタフェース
９６  コネクタ
９８  記録媒体着脱検知手段
１００  画像処理装置
１０２  保護手段
１０４  光学ファインダ
１１０  通信手段
１１２  コネクタ（またはアンテナ）
２００  記録媒体
２０２  記録部
２０４  インタフェース
２０６  コネクタ
２１０  記録媒体
２１２  記録部
２１４  インタフェース
２１６  コネクタ
【図１】
2006107672.tif 000003
【図２】
2006107672.tif 000004
【図３】
2006107672.tif 000005
【図４】
2006107672.tif 000006
【図５】
2006107672.tif 000007
【図６】
2006107672.tif 000008